(57)【要約】【課題】  画像に対して画像補正を施す画像補正装置および画像補正プログラムに関し、手動による補正指示を十分な自由度で容易に行う。【解決手段】  画像に対して所定の画像解析を行って、その画像に対する画像補正の補正量または補正目標を求める解析部と、  変更量を操作によって指定され、解析部によって求められた補正量または補正目標を該変更量に従って変更する補正変更部と、  画像に画像補正を施すことにより、補正変更部によって変更された後の補正量または補正目標に対応した補正結果を有する画像を得る画像補正部と、  補正変更部に対して指定可能な変更量の範囲を設定する範囲設定部とを備えている。【選択図】        図４
2005208886.tif 000002
【特許請求の範囲】
【請求項１】
画像に対して所定の画像解析を行って、該画像に対する画像補正を定義した補正値を求める解析部と、
変更量を操作によって指定され、前記解析部によって求められた補正値を該変更量に従って変更する補正変更部と、
前記画像に画像補正を施すことにより、前記補正変更部によって変更された後の補正値に対応した補正結果を有する画像を得る画像補正部と、
前記補正変更部に対して指定可能な変更量の範囲を設定する範囲設定部とを備えたことを特徴とする画像補正装置。
【請求項２】
前記範囲設定部が、前記補正変更部に対して指定可能な変更量の範囲を、操作に応じた範囲に設定するものであることを特徴とする請求項１記載の画像補正装置。
【請求項３】
前記範囲設定部が、前記補正変更部に対して指定可能な変更量の範囲を、前記解析部によって求められた補正値を基準として設定するものであることを特徴とする請求項１記載の画像補正装置。
【請求項４】
前記範囲設定部が、前記補正変更部に対して指定可能な変更量の範囲を、前記画像解析部によって補正値が求められる際に行われた画像解析の結果に応じた範囲に設定するものであることを特徴とする請求項１記載の画像補正装置。
【請求項５】
前記解析部が、前記補正値を複数種類の画像補正それぞれについて求めるものであり、
前記補正変更部は、前記変更量が前記複数種類の画像補正それぞれについて指定されるものであり、
前記範囲設定部が、前記補正変更部に対して指定可能な変更量の範囲を、前記複数種類の画像補正それぞれについて設定するものであることを特徴とする請求項１記載の画像補正装置。
【請求項６】
コンピュータに組み込まれ、該コンピュータ上で、
画像に対して所定の画像解析を行って、該画像に対する画像補正を定義した補正値を求める解析部と、
変更量を操作によって指定され、前記解析部によって求められた補正量または補正目標を該変更量に従って変更する補正変更部と、
前記画像に画像補正を施すことにより、前記補正変更部によって変更された後の補正量または補正目標に対応した補正結果を有する画像を得る画像補正部と、
前記補正変更部に対して指定可能な変更量の範囲を設定する範囲設定部とを構成することを特徴とする画像補正プログラム。
【発明の詳細な説明】
【技術分野】
【０００１】
本発明は、画像に対して画像補正を施す画像補正装置および画像補正プログラムに関する。
【背景技術】
【０００２】
従来より、画像を表す画像データを用いて画像解析を行い、その画像解析の結果に応じた画像補正をその画像データに施す自動補正の技術が知られており、そのような自動補正を行う画像補正装置や画像補正プログラムも知られている。この自動補正では、一般に、濃度補正、ホワイトバランス調整（色温度調整）、彩度調整、シャープネス変換などといった種々の画像補正が行われるが、自動補正は万能ではなく、補正不足であったり、補正過多であったり、補正の方向がまずかったり等というような不具合が生じうる。
【０００３】
このような不具合は、例えば機種差やユーザの好みなどに依存している場合があり、そのような場合に、機種差やユーザの好みなどを自動補正に反映させて自動補正をカスタマイズすることによって不具合を回避することが提案されている（例えば、特許文献１参照。）。
【特許文献１】特開２００２−１６８７４号公報
【発明の開示】
【発明が解決しようとする課題】
【０００４】
しかし、特許文献１に記載された技術を用いて自動補正をカスタマイズした場合であっても、自動補正は画像データを用いた画像解析を前提としているために、その画像解析の原理的な限界に起因した分析の不正確さによって、個々の画像に対する補正において不具合は依然として生じ得る。このため、画像補正装置や画像補正プログラムには、そのような不具合が生じた場合に手動操作で適切な補正を指示して補正を変更する機能が必要である。
【０００５】
従来の画像補正装置や画像補正プログラムにも、このような手動操作による補正指示の機能が備えられているものの、従来の画像補正装置等ではこのような補正指示の操作は煩雑である。また、操作の自由度が高いほど煩雑さが増すため、従来の画像補正装置等では自由度が不十分であることも多い。
【０００６】
本発明は上記事情に鑑み、上述したような補正指示を十分な自由度で容易に行うことができる画像補正装置および画像補正プログラムを提供することを目的とする。
【課題を解決するための手段】
【０００７】
上記目的を達成する本発明の画像補正装置は、
画像に対して所定の画像解析を行って、その画像に対する画像補正を定義した補正値を求める解析部と、
変更量を操作によって指定され、解析部によって求められた補正値を変更量に従って変更する補正変更部と、
上記画像に画像補正を施すことにより、補正変更部によって変更された後の補正値に対応した補正結果を有する画像を得る画像補正部と、
補正変更部に対して指定可能な変更量の範囲を設定する範囲設定部とを備えたことを特徴とする。
【０００８】
ここで、「補正値」は、補正前後の状態の差によって補正を定義した補正量であってもよく、あるいは、補正後の状態のみで補正を定義した補正目標値であってもよい。
【０００９】
また、範囲設定部による設定は、解析などに基づいた自動的な設定であってもよく、あるいは手動操作に従った設定であってもよい。
【００１０】
本発明の画像補正装置は、上述した範囲設定部を備えているので、補正変更の操作範囲を、経験、画像分析、嗜好などに応じた必要十分な範囲に制限することができる。従って、本発明の画像補正装置によれば、不要な指示範囲を排除することができ、その結果、操作の煩雑さを低減するとともに十分な自由度を確保することができる。
【００１１】
本発明の画像補正装置は、
「  上記範囲設定部が、補正変更部に対して指定可能な変更量の範囲を、操作に応じた範囲に設定するものである」
という態様であってもよく、
「  上記範囲設定部が、補正変更部に対して指定可能な変更量の範囲を、解析部によって求められた補正値を基準として設定するものである」
という態様であってもよく、あるいは、
「  上記範囲設定部が、補正変更部に対して指定可能な変更量の範囲を、前記画像解析部によって補正値が求められる際に行われた画像解析の結果に応じた範囲に設定するものである」
という態様であってもよい。
【００１２】
操作に応じた範囲に設定する態様では、変更量の範囲を、経験や嗜好に応じた範囲に手動で設定することができる。
【００１３】
また、補正量または補正目標を基準として設定する態様では、自動補正の補正結果に応じた範囲が自動設定される。
【００１４】
更に、画像解析の結果に応じた範囲に設定する態様では、例えば、自動補正のための解析で補正値の候補が複数得られるような場合に、自動補正には筆頭候補が採用され、変更範囲は、筆頭候補以外の補正値に基づいて設定されるといった応用が可能である。
【００１５】
本発明の画像補正装置において、
「  上記解析部が、上記補正値を複数種類の画像補正それぞれについて求めるものであり、
上記補正変更部は、上記変更量が上記複数種類の画像補正それぞれについて指定されるものであり、
上記範囲設定部が、補正変更部に対して指定可能な変更量の範囲を、上記複数種類の画像補正それぞれについて設定するものである」
という形態は好適である。
【００１６】
画像解析に基づいた自動補正では、一般に、上述したような種々の画像補正が行われるが、そのような種々の画像補正については、それぞれに適した変更範囲が設定可能であることが望ましい。このようにそれぞれの変更範囲が設定可能であると、例えば、あるユーザは特定光源下の画像のみをもっぱら使用するので色温度調整については変更範囲を０に設定するなどといった応用が可能である。
【００１７】
上記目的を達成する本発明の画像補正プログラムは、
コンピュータに組み込まれ、そのコンピュータ上で、
画像に対して所定の画像解析を行って、その画像に対する画像補正を定義した補正値を求める解析部と、
変更量を操作によって指定され、解析部によって求められた補正値をその変更量に従って変更する補正変更部と、
上記画像に画像補正を施すことにより、補正変更部によって変更された後の補正値に対応した補正結果を有する画像を得る画像補正部と、
補正変更部に対して指定可能な変更量の範囲を設定する範囲設定部とを構成することを特徴とする。
【００１８】
本発明の画像補正プログラムによれば、本発明の画像補正装置の構成要素をコンピュータによって容易に実現することができる。
【００１９】
なお、本発明にいう画像補正プログラムについては、ここではその基本形態のみを示すのにとどめるが、これは単に重複を避けるためであり、本発明にいう画像補正プログラムには、上記の基本形態のみではなく、前述した画像補正装置の各形態に対応する各種の形態が含まれる。
【発明の効果】
【００２０】
以上説明したように、本発明によれば、手動操作による補正指示を十分な自由度で容易に行うことができる。
【発明を実施するための最良の形態】
【００２１】
以下図面を参照して本発明の実施の形態を説明する。
【００２２】
図１は、本発明の一実施形態が適用されるシステムの例を示す図である。
【００２３】
この図に示す例では、コンピュータ１０にデジタルスチルカメラ２０が接続されており、デジタルスチルカメラ２０で撮影されて得られた画像データが、ＵＳＢケーブル２１を介してコンピュータ１０に取り込まれる。
【００２４】
ここでは、コンピュータ１０に、本発明の画像補正プログラムの一実施形態が組み込まれ、この画像補正プログラムによってコンピュータ１０上に、本発明の画像補正装置の一実施形態が構築されている。また、このコンピュータ１０上には、画像補正装置としての機能の他に、画像データを利用する種々の処理装置として機能も構築されている。
【００２５】
デジタルスチルカメラ２０から取り込まれた画像データには、コンピュータ１０上に構築された画像補正装置によって画像補正処理が施される。本発明の実施形態としての特徴はコンピュータ１０内での処理動作にあるが、以下では先ず、コンピュータ１０のハードウェアについて説明する。
【００２６】
このパーソナルコンピュータ１０は、外観構成上、本体装置１１、その本体装置１１からの指示に応じて表示画面１２ａ上に画像を表示する画像表示装置１２、本体装置１１に、キー操作に応じた各種の情報を入力するキーボード１３、および、表示画面１２ａ上の任意の位置を指定することにより、その位置に表示された、例えばアイコン等に応じた指示を入力するマウス１４を備えている。この本体装置１１は、外観上、フレキシブルディスクを装填するためのフレキシブルディスク装填口１１ａ、およびＣＤ−ＲＯＭを装填するためのＣＤ−ＲＯＭ装填口１１ｂを有する。
【００２７】
図２は、コンピュータのハードウェア構成を表す構成図である。
【００２８】
図１に示す本体装置１１の内部には、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、フレキシブルディスク３１が装填されその装填されたフレキシブルディスク１００をアクセスするＦＤドライブ１１４、ＣＤ−ＲＯＭ３２が装填され、その装填されたＣＤ−ＲＯＭ３２をアクセスするＣＤ−ＲＯＭドライブ１１５、デジタルスチルカメラ２０（図１参照）と接続され、デジタルスチルカメラ２０から画像データを受け取るＩ／Ｏインタフェース１１６が内蔵されており、これらの各種要素と、さらに図１にも示す画像表示装置１２、キーボード１３、マウス１４は、バス１５を介して相互に接続されている。
【００２９】
ここで、ＣＤ−ＲＯＭ３２には、このパーソナルコンピュータ１０を本発明の画像補正装置の一実施形態として動作させる、本発明の画像補正プログラムの一実施形態が記憶されており、そのＣＤ−ＲＯＭ３２はＣＤ−ＲＯＭドライブ１１５に装填され、そのＣＤ−ＲＯＭ３２に記憶された画像補正プログラムがこのパーソナルコンピュータ１０にアップロードされてハードディスク装置１１３に記憶される。
【００３０】
図３は、本発明の画像補正プログラムの一実施形態を示す図である。
【００３１】
この図３に示す記憶媒体３０は、画像補正プログラム４０が記憶された記憶媒体であればその種類を問うものではなく、例えばＣＤ−ＲＯＭにこの画像補正プログラム４０が格納されているときはそのＣＤ−ＲＯＭを指し、その画像補正プログラム４０がローディングされてハードディスク装置に記憶されたときはそのハードディスク装置を指し、あるいはその画像補正プログラム４０がフレキシブルディスクにダウンロードされたときはそのフレキシブルディスクを指す。
【００３２】
この画像補正プログラム４０は、図１に示すコンピュータ１０内で実行され、そのコンピュータ１０を、画像に補正処理を施す画像補正装置として動作させるものであり、解析部４１と補正変更部４２と画像補正部４３と範囲設定部４４とを有する。
【００３３】
図４は、本発明の画像補正装置の一実施形態を表す機能ブロック図である。
【００３４】
この画像補正装置５０は、図３の画像補正プログラム４０が、図１に示すコンピュータ１０にインストールされて実行されることによってコンピュータ１０上に構成されるものである。
【００３５】
この画像補正装置５０は解析部５１と補正変更部５２と画像補正部５３と範囲設定部５４とから構成されており、これら解析部５１、補正変更部５２、画像補正部５３、および範囲設定部５４は、図３に示す画像補正プログラム４０を構成する、解析部４１、補正変更部４２、画像補正部４３、および範囲設定部４４それぞれによってコンピュータ１０上に構成されている。このように、図４に示す画像補正装置５０の各要素は、図３に示す画像補正プログラムの各要素にそれぞれ対応するが、図４の各要素は、図１に示すコンピュータ１０のハードウェアとそのパーソナルコンピュータで実行されるＯＳやアプリケーションプログラムとの組合せで構成されているのに対し、図３に示す各要素はそれらのうちのアプリケーションプログラムのみにより構成されている点が異なる。
【００３６】
コンピュータ１０上に構成された解析部５１、補正変更部５２、画像補正部５３、および範囲設定部５４は、それぞれ、本発明における、解析部、補正変更部、画像補正部、および範囲設定部の各一例に相当する。
【００３７】
以下、図４に示す画像補正装置５０の構成要素について概説する。
【００３８】
解析部５１では、図１に示すデジタルスチルカメラ２０から取り込まれた画像データが表す画像が解析され、自動画像補正のためのパラメータが算出される。本実施形態では、画像解析の一例として、色温度（光源のホワイトバランス）の解析と明るさ（濃度）の解析が行われ、色温度の補正値と明るさの補正値が求められる。
【００３９】
また、補正変更部５２は、図１および図２に示す画像表示装置１２にＧＵＩ（Ｇｒａｐｈｉｃａｌ  Ｕｓｅｒ  Ｉｎｔｅｒｆａｃｅ）操作画面を表示し、このＧＵＩ操作画面を介して手動補正の指示を受ける。
【００４０】
また、画像補正部５３では、解析部５１が求めた補正値と、補正変更部５２が受けた指示とに従った画像補正処理が画像データに施される。
【００４１】
また、範囲設定部５４では、補正変更部５２によって表示されるＧＵＩ操作画面における、手動補正の指示可能範囲が設定される。この範囲設定部５４は、範囲設定画面を表示して、その範囲設定画面上で、範囲自体の手動設定や、範囲の自動設定に対する条件設定を受ける。
【００４２】
以下では、範囲設定画面による設定の詳細と、画像補正装置５０の動作の詳細について説明する。
【００４３】
図５は、範囲設定画面を表す図である。
【００４４】
この範囲設定画面６０には、ラジオボタン６１と、数値設定欄６２と、単位設定欄６３が備えられている。
【００４５】
ラジオボタン６１は、手動補正の指示可能範囲を自動で設定するかマニュアルで設定するかを選択するためのものであり、図１および図２に示すマウス１４によってクリック操作される。ラジオボタン６１によって自動設定が選択されている場合には、自動画像補正における補正値を求めるために図４の解析部５１で行われた解析結果が用いられて適正な範囲が手動補正の指示可能範囲として設定される。この自動設定の詳細については後で説明する。
【００４６】
数値設定欄６２と単位設定欄６３は、ラジオボタン６１によってマニュアル設定が選択されている場合に有効となり、数値設定欄６２には、手動補正の指示可能範囲を示す数値が入力され、単位設定欄６３では、その数値に対する単位が選択される。ここでは、「色温度」について「度」と「％」が単位として選択可能で、「濃度」については「Ｋｅｙ」と「％」が単位として選択可能である。ただし「Ｋｅｙ」という単位は、一般に無次元量である濃度の「１」に対して「１０」Ｋｅｙを割り当てた特殊な単位である。
【００４７】
単位設定欄６３で「Ｋ」や「Ｋｅｙ」が選択された場合には、数値設定欄６２に入力された数値が手動補正の指示可能範囲の絶対値を表していることになる。これに対し、単位設定欄６３で「％」が単位として選択された場合には、手動補正の指示可能範囲は、自動画像補正の結果に応じた相対的な範囲として設定されることとなり、数値設定欄６２に入力された数値は、相対値を表すこととなる。例えば、色温度に対する自動画像補正による補正後の値が５７５０Ｋで、数値設定欄６２および単位設定欄６３によって「２０％」という範囲が設定されている場合には、手動補正の指示可能範囲は、プラスマイナス１１５０Ｋとなる。
【００４８】
図４に示す範囲設定部５４では、以上説明した範囲設定画面６０を介した設定が行われ、この設定を前提として、画像補正装置５０は以下説明するように動作する。
【００４９】
図６は、本実施形態における画像補正装置の動作手順を表すフローチャートである。
【００５０】
画像補正装置では、上述したようにデジタルスチルカメラから画像データが取り込まれる（ステップＳ０１）と、先ず、その画像データが表す画像を縮小したインデックス画像が作成される（ステップＳ０２）。次に、その画像データが表す画像の解析が行われて、自動画像補正における補正値が求められ（ステップＳ０３）、その自動画像補正の結果に対する手動補正の指示可能範囲が算出される（ステップＳ０４）。これら補正値および指示可能範囲の算出方法についても後述する。
【００５１】
補正値および指示可能範囲が得られると、自動補正の結果をインデックス画像で確認して手動補正を指示するための画像補正画面が、図１および図２に示す画像表示装置１２上に表示される（ステップＳ０５）。
【００５２】
図７は、画像補正画面を表す図である。
【００５３】
この画像補正画面７０には、図６のステップＳ０２で作成された原インデックス画像７１ａと、その原インデックス画像７１ａに画像補正が施された補正インデックス画像７１ｂが表示される。画像補正装置のユーザは、これらのインデックス画像を参考にして、画像補正が適切であるか否かを確認する。
【００５４】
また、この画像補正画面７０には、自動補正の結果を変更して手動補正を指示するための変更指示欄７２が設けられており、この変更指示欄７２には、手動補正の指示可能範囲が２次元座標空間として示されている。また、その２次元座標空間を構成する２つの座標軸として、ここでは色温度の軸７２ａと明るさの軸７２ｂが示されており、これらの軸７２ａ，７２ｂの交点（原点）が自動補正の結果に相当している。さらに、この変更指示欄７２にはポインタ７３が表示され、２次元座標空間におけるポインタ７３の位置がマウスなどの操作によって決定されることにより、そのポインタ７３の位置と原点との差に相当する補正変更が指示されることとなる。
【００５５】
さらに、この画像補正画面７０には、ＯＫボタン７４が設けられており、このＯＫボタン７４がクリックされることによって手動補正の終了が確定される。
【００５６】
ここで、自動補正値および補正変更の指示可能範囲の算出方法について説明する。
【００５７】
図８は、自動補正値および補正変更の指示可能範囲の算出方法について説明するための説明図である。
【００５８】
ここでは、色温度の補正について一例を挙げて説明する。
【００５９】
色温度の自動補正値が求められる際には、まず、画像解析によって画像中のグレー点が求められ、そのグレー点に基づいて、画像における光源の色温度が推定される。
【００６０】
この図８には、Ｌａｂ色空間が、Ｌ*軸が省略されて２次元的に示されており、画像解析では、このＬａｂ色空間上でａ*軸とｂ*軸との交点Ｏを中心とする所定距離内の領域Ｒに存在する色の分布が解析される。例えば、ある画像については、この図に示す３点Ｐ１，Ｐ２，Ｐ３それぞれに該当する３つの色が、領域Ｒに存在する色として画像中に含まれており、それらの色が画像中に占める面積は、Ｐ１＞Ｐ３＞Ｐ２であったとすると、点Ｐ１に対応する色が、この画像中でのグレー点であると判定される。このグレー点と判定された点Ｐ１に対応する色は、すなわち光源の色であり、点Ｐ１と交点Ｏとの距離から、光源の色温度（ホワイトバランス）が推定される。色温度の推定値が例えば４０００Ｋであったとすると、次に、予め設定されている基準値（例えば６５００Ｋ）との差分を補正する補正値が算出される。ただし、差分を全て補正するのではなく、光源の違いによる撮影の雰囲気を残しつつ、適切なホワイトバランスを得るために、差分の７割を補正する補正値が算出される。本実施形態では、色温度の自動補正値は、補正の目標値Ｔ１として、
Ｔ１＝４０００＋（６５００−４０００）×０．７＝５７５０
というように算出され、自動補正後の色温度として５７５０Ｋが得られる。
【００６１】
このように求められた自動補正値に相当する補正結果に対して、手動補正の指定可能範囲は、図５に示す範囲設定画面６０における設定に応じて以下のように求められる。
【００６２】
範囲設定画面６０で自動設定が選択されている場合には、図８に示す点Ｐ１と、他の点Ｐ２，Ｐ３との距離が求められる。そして、これらの距離に相当する色温度差が求められ、その色温度差が指定可能範囲の幅として用いられる。
【００６３】
一方、範囲設定画面６０でマニュアル設定が選択されているとともに、範囲が例えば「２０％」と設定されている場合には、自動補正後の色温度として得られた５７５０Ｋが基準として用いられて、指定可能範囲の幅Ｗが、
Ｗ＝５７５０×０．２＝１１５０
というように算出され、プラスマイナス１１５０Ｋという範囲が得られる。
【００６４】
なお、範囲設定画面６０でマニュアル設定が選択されているとともに、「％」以外の単位で範囲が設定されている場合には、当然ながら、画像の解析にかかわらず設定通りの範囲が用いられる。
【００６５】
図６のステップＳ０３およびステップＳ０４でこのように自動補正値および補正範囲が算出されると、ステップＳ０５では、図７に示す画像補正画面７０に、求められた自動補正値に従った画像補正が施された補正インデックス画像７１ｂと、求められた補正範囲を表した２次元座標空間を有する変更指示欄７２が表示される。変更指示欄７２に２次元座標空間として表示されている補正範囲は、手動補正の自由度を十分に確保した範囲となっていると共に、そのような範囲が示されていることによって、適切な手動補正の見当を付けるのに役立ち、適切な手動補正を容易に指定することができる。
【００６６】
その後、ステップＳ０６では、図７に示すＯＫボタン７４がクリックされて、手動補正が終了した否かが判定され、未終了である場合には、図７の変更指示欄７２によって補正の変更が手動操作で指示される（ステップＳ０７）。変更指示欄７２では、上述したように、ポインタ７３の位置が手動操作で決定されることによって補正変更が指示される。例えば、上述したように求められたプラスマイナス１１５０Ｋという範囲に対して、マイナス側に２０％の位置が決定された場合には、手動補正の目標値Ｔ２は、
Ｔ２＝５７５０−１１５０×０．２＝５５２０
というように算出されて、手動補正による補正変更後の色温度として５５２０Ｋが得られる。
【００６７】
このように補正変更が指示されると、その変更が図７の補正インデックス画像７１ｂに反映され（ステップＳ０８）、ステップＳ０５に戻って上記手順が繰り返される。
【００６８】
一方、ステップＳ０６で、図７に示すＯＫボタン７４がクリックされて手動補正が終了したと判定された場合には、自動補正および手動補正を介して最終的に得られた補正値に従った画像補正の処理が、ステップＳ０１で取り込まれた画像データに施される（ステップＳ０９）。このように、ステップＳ０１で取り込まれた画像データに対しては、最終的に得られた補正値に従った画像補正の処理のみを施すことにしたことにより、手動補正の指示の際に必要となる演算処理の負担を軽減することができる。
【００６９】
このような画像補正処理が施された画像データは、図１のコンピュータ１０が実行する他のデータ処理へと渡される（ステップＳ１０）。
【００７０】
このように、本実施形態の画像補正装置によれば、手動操作による補正指示を十分な自由度で容易に行うことができる。
【００７１】
なお、上記説明では、手動補正の指示が終了する迄はインデックス画像に対して補正が施され、手動補正の指示が全て終了した後に、本来の画像データに対して最終的な補正処理がまとめて施されるが、本発明では、手動補正における試行的な指示の度に本来の画像データに対して補正が施されてもよい。
【００７２】
また、上述したように、色温度や濃度の解析および補正は単なる一例であって、本発明にいう画像解析や画像補正はこれに限定されないことは当然である。他の画像解析や画像補正としては、例えば彩度やシャープネスの解析および補正などが採用されてもよい。
【図面の簡単な説明】
【００７３】
【図１】本発明の一実施形態が適用されるシステムの例を示す図である。
【図２】コンピュータのハードウェア構成を表す構成図である。
【図３】本発明の画像補正プログラムの一実施形態を示す図である。
【図４】本発明の画像補正装置の一実施形態を表す機能ブロック図である。
【図５】範囲設定画面を表す図である。
【図６】本実施形態における画像補正装置の動作手順を表すフローチャートである。
【図７】画像補正画面を表す図である。
【図８】自動補正値および補正変更の指示可能範囲の算出方法について説明するための説明図である。
【符号の説明】
【００７４】
１０    コンピュータ
１１    本体装置
１１ａ    フレキシブルディスク装填口
１１ｂ    ＣＤ−ＲＯＭ装填口
１２ａ    表示画面
１２    画像表示装置
１３    キーボード
１４    マウス
１５    バス
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
２０    デジタルスチルカメラ
２１    ＵＳＢケーブル
３０    記憶媒体
３１    フレキシブルディスク
３２    ＣＤ−ＲＯＭ
４０    画像補正プログラム
４１    解析部
４２    補正変更部
４３    画像補正部
４４    範囲設定部
５０    画像補正装置
５１    解析部
５２    補正変更部
５３    画像補正部
５４    範囲設定部
６０    範囲設定画面
６１    ラジオボタン
６２    数値設定欄
６３    単位設定欄
７０    画像補正画面
７１ａ    原インデックス画像
７１ｂ    補正インデックス画像
７２    変更指示欄
７２ａ    色温度の軸
７２ｂ    明るさの軸
７３    ポインタ
７４    ＯＫボタン
【図１】
2005208886.tif 000003
【図２】
2005208886.tif 000004
【図３】
2005208886.tif 000005
【図４】
2005208886.tif 000006
【図５】
2005208886.tif 000007
【図６】
2005208886.tif 000008
【図７】
2005208886.tif 000009
【図８】
2005208886.tif 000010